(57)【要約】【課題】噴出釦の釦側嵌合部に長尺噴射ノズルの基端のノズル側嵌合部をはめ合わせて噴出釦に長尺噴射ノズルを取り付け、使用時に噴口からの容器内容物を長尺噴射ノズルの噴射路を通して長尺噴射ノズルの先端に取り付ける噴射針の先から噴射可能とする噴出装置において、使用時に噴出釦の釦側嵌合部と長尺噴射ノズルのノズル側嵌合部とのはめ合わせが外れて噴出釦から長尺噴射ノズルが抜け落ちるおそれを解消する。【解決手段】長尺噴射ノズル３０は、中心に噴射路を有するノズル本体３１とその先端に取り付ける噴射針３２とを有し、ノズル本体の基端にノズル側嵌合部３８を設ける。ノズル側嵌合部には、弾性片４０を設けるとともに、その弾性片にノズル側掛止部を形成する。そして、そのノズル側嵌合部を噴出釦１４の釦側嵌合部２２にはめ合わせ、釦側掛止部にノズル側掛止部を弾性片の弾性をもって掛け止め、噴口を長尺噴射ノズルの噴射路と連通する。【選択図】      図１
2005125266.tif 000002
【特許請求の範囲】
【請求項１】
容器から突出するステムに取り付け、使用時にそのステムから吐出する容器内容物を吐出路を通して噴口から外部に噴出する一方、長尺噴射ノズルの基端のノズル側嵌合部をはめ合わせて前記噴口を前記長尺噴射ノズルの噴射路と連通する釦側嵌合部を設ける噴出器用噴出釦において、
前記釦側嵌合部に前記ノズル側嵌合部をはめ合わせたとき、そのノズル側嵌合部に有する弾性片のノズル側掛止部を該弾性片の弾性をもって掛け止める釦側掛止部を前記釦側嵌合部に設けることを特徴とする、噴出器用噴出釦。
【請求項２】
噴射路を有するノズル本体とその先端に取り付ける噴射針とを有し、前記ノズル本体の基端に、噴出器用噴出釦の釦側嵌合部にはめ合わせるノズル側嵌合部を設け、使用時に前記噴出器用噴出釦に取り付け、前記釦側嵌合部に設ける噴口から噴出する容器内容物を前記噴射路を通して前記噴射針の先から噴射する噴出器用長尺噴射ノズルにおいて、
前記ノズル側嵌合部に弾性片を設けるとともに、その弾性片に、前記釦側嵌合部の釦側掛止部に該弾性片の弾性を持って掛け止めるノズル側掛止部を形成することを特徴とする、噴出器用長尺噴射ノズル。
【請求項３】
容器の口部に取り付け、使用時にステムから吐出する容器内容物を噴出釦の吐出路を通して噴口から外部に噴出する一方、選択的に前記噴出釦の釦側嵌合部に長尺噴射ノズルの基端のノズル側嵌合部をはめ合わせて前記噴出釦に前記長尺噴射ノズルを取り付け、使用時に前記噴口からの容器内容物を前記長尺噴射ノズルの噴射路を通して前記長尺噴射ノズルの先端に取り付ける噴射針の先端から噴射可能とする噴出装置において、
前記ノズル側嵌合部に弾性片を設けるとともに、その弾性片に、前記釦側嵌合部の釦側掛止部に該弾性片の弾性を持って掛け止めるノズル側掛止部を形成することを特徴とする、噴出装置。
【請求項４】
請求項３に記載の噴出装置を容器の口部に取り付け、操作部材を操作することにより前記ステムを介してピストンを往復動して容器内容物を外部に噴出することを特徴とする、ポンプ式噴出器。
【請求項５】
請求項３に記載の噴出装置を容器の口部に取り付け、操作部材を操作することにより前記ステムを介して出口弁を開き、容器内容物を噴射剤の圧力で外部に噴出することを特徴とする、エアゾール式噴出器。
【請求項６】
請求項２に記載の噴出器用長尺噴射ノズルを取り付け、前記容器を押しつぶすことにより容器内容物を外部に噴出することを特徴とする、押出し式噴出器。
【発明の詳細な説明】
【技術分野】
【０００１】
この発明は、容器から突出するステムに取り付け、使用時にそのステムから吐出する容器内容物を吐出路を通して噴口から外部に噴出する一方、長尺噴射ノズルの基端のノズル側嵌合部をはめ合わせて噴口を長尺噴射ノズルの噴射路と連通する釦側嵌合部を設ける噴出器用噴出釦に関する。使用時に噴出器の噴出釦に取り付け、噴出釦の噴口から噴出する容器内容物を噴射針の先から外部に噴射する噴出器用長尺噴射ノズルに関する。そのような長尺噴射ノズルを噴出釦に取り付け可能とし、容器の口部に取り付けて、使用時に噴出釦やトリガーレバーなどの操作部材を操作したり容器をつぶしたりしたとき、容器の内容物を外部に噴出する噴出装置に関する。および、そのような噴出装置を容器の口部に取り付けた、化粧用等の噴出器に関する。
【背景技術】
【０００２】
従来、例えばポンプ式噴出器では、容器の口部に噴出装置を取り付け、使用時にその噴出装置の、噴出釦やトリガーレバーなどの操作部材を操作することにより、ステムを介してピストンを往復動してポンプを作動し、容器内容物を汲み上げて噴出釦の噴口から外部へと噴出していた。
【０００３】
このような噴出器では、用途に応じ、噴出釦に代えて長尺噴射ノズルを使用したい場合もあり、そのような場合にはステムの噴出釦を取り外して長尺噴射ノズルに付け替えていた。しかしながら、このとき、ステムから取り外した小さく転がりやすい噴出釦を紛失してしまったり、また小さく目立たない噴出釦の保管場所を忘れてしまったりすることが多々あった。
【０００４】
このような問題を解消すべく、従来の噴出器の中には、長尺噴射ノズルを使用するとき、ステムから噴出釦を取り外すことなく、噴出釦の釦側嵌合部に長尺噴射ノズルの基端のノズル側嵌合部をはめ合わせて噴出釦に長尺噴射ノズルを取り付け、使用時に噴口からの容器内容物を長尺噴射ノズルの噴射路を通して、長尺噴射ノズルの先端に取り付ける噴射針の先から噴射するようにしたものがある。
【特許文献１】実開昭５７−２０４０６３号公報
【発明の開示】
【発明が解決しようとする課題】
【０００５】
ところが、このような噴出器では、噴出釦の釦側嵌合部に長尺噴射ノズルの基端のノズル側嵌合部を単にはめ込むだけであるから、噴口から噴出する容器内容物の勢いにより噴出釦から長尺噴射ノズルが外れるおそれがあった。外れにくいように、釦側嵌合部とノズル側嵌合部との間に、例えば互いの凹凸により係合する係合部を設けることも考えられるが、噴出釦に対して長尺噴射ノズルを抜き差しする間に、それらの係合部が摩耗してやはり噴口から噴出する容器内容物の勢いにより噴出釦から長尺噴射ノズルが抜け落ちるおそれがあった。
【０００６】
そこで、この発明の目的は、選択的に、噴出釦の釦側嵌合部に長尺噴射ノズルの基端のノズル側嵌合部をはめ合わせて噴出釦に長尺噴射ノズルを取り付け、使用時に噴口からの容器内容物を長尺噴射ノズルの噴射路を通して長尺噴射ノズルの先端に取り付ける噴射針の先から噴射する噴出装置において、使用時に噴出釦の釦側嵌合部と長尺噴射ノズルのノズル側嵌合部とのはめ付けが外れて噴出釦から長尺噴射ノズルが抜け落ちるおそれを解消することにある。
【課題を解決するための手段】
【０００７】
そのため、請求項１に記載の発明は、容器から突出するステムに取り付け、使用時に噴出釦やトリガーレバーなどの操作部材を操作したり容器をつぶしたりすることにより、ステムから吐出する容器内容物を吐出路を通して噴口から外部に噴出する一方、長尺噴射ノズルの基端のノズル側嵌合部をはめ合わせて噴口を長尺噴射ノズルの噴射路と連通する釦側嵌合部を設ける噴出器用噴出釦において、
釦側嵌合部にノズル側嵌合部をはめ合わせたとき、そのノズル側嵌合部に有する弾性片の、例えば凸状のノズル側掛止部を該弾性片の弾性をもって掛け止める、例えば凹状の釦側掛止部を釦側嵌合部に設ける、ことを特徴とする。
【０００８】
請求項２に記載の発明は、噴射路を有するノズル本体とその先端に取り付ける噴射針とを有し、ノズル本体の基端に、噴出器用噴出釦の釦側嵌合部にはめ合わせるノズル側嵌合部を設け、使用時に噴出器用噴出釦に取り付け、噴出釦やトリガーレバーなどの操作部材を操作したり容器をつぶしたりすることにより、釦側嵌合部に設ける噴口から噴出する容器内容物を噴射路を通して噴射針の先から噴射する噴出器用長尺噴射ノズルにおいて、
ノズル側嵌合部に弾性片を設けるとともに、その弾性片に、釦側嵌合部の例えば凹状の釦側掛止部に該弾性片の弾性を持って掛け止める、例えば凸状のノズル側掛止部を形成する、ことを特徴とする。
【０００９】
請求項３に記載の発明は、容器の口部に取り付け、使用時に噴出釦やトリガーレバーなどの操作部材を操作したり容器をつぶしたりすることにより、ステムから吐出する容器内容物を噴出釦の吐出路を通して噴口から外部に噴出する一方、選択的に噴出釦の釦側嵌合部に長尺噴射ノズルの基端のノズル側嵌合部をはめ合わせて噴出釦に長尺噴射ノズルを取り付け、使用時に噴口からの容器内容物を長尺噴射ノズルの噴射路を通して長尺噴射ノズルの先端に取り付ける噴射針の先端から噴射可能とする噴出装置において、
ノズル側嵌合部に弾性片を設けるとともに、その弾性片に、釦側嵌合部の例えば凹状の釦側掛止部に該弾性片の弾性を持って掛け止める、例えば凸状のノズル側掛止部を形成する、ことを特徴とする。
【００１０】
請求項４に記載の発明は、ポンプ式噴出器にあって、請求項３に記載の噴出装置を容器の口部に取り付け、噴出釦やトリガーレバー等の操作部材を操作することにより、ステムを介してピストンを往復動して容器内容物を外部に噴出する、ことを特徴とする。
【００１１】
請求項５に記載の発明は、エアゾール式噴出器にあって、押下釦やトリガーレバー等の操作部材を操作することにより、請求項３に記載の噴出装置を容器の口部に取り付け、噴出釦やトリガーレバー等の操作部材を操作することにより、ステムを介して出口弁を開き、容器内容物を噴射剤の圧力で外部に噴出する、ことを特徴とする。
【００１２】
請求項６に記載の発明は、押出し式噴出器にあって、請求項２に記載の噴出器用長尺噴射ノズルを取り付け、容器を押しつぶすことにより容器内容物を外部に噴出する、ことを特徴とする。
【発明の効果】
【００１３】
この発明によれば、選択的に、噴出釦の釦側嵌合部に長尺噴射ノズルの基端のノズル側嵌合部をはめ合わせて噴出釦に長尺噴射ノズルを取り付け、使用時に噴口からの容器内容物を長尺噴射ノズルの噴射路を通して長尺噴射ノズルの先端に取り付ける噴射針の先から噴射可能とする噴出装置、その噴出装置を取り付けた噴出器にあって、長年の使用によっても噴出釦と長尺噴射ノズルの嵌合部が摩耗することなく、使用時に噴出釦の釦側嵌合部と長尺噴射ノズルのノズル側嵌合部とのはめ合わせが外れ、噴出釦から長尺噴射ノズルが抜け落ちるおそれを解消することができる。
【発明を実施するための最良の形態】
【００１４】
以下、図面を参照しつつ、この発明を実施するための最良の形態につき説明する。
図１には、この発明によるエアゾール式の噴出器の外観を示す。
【００１５】
図中符号１０は、金属缶製の容器である。容器１０は、口部にマウンテンカップ１２を被せて噴出装置１３を取り付け、この例では、内部に、噴射剤とともに内容物として化粧液を収納する。噴出装置１３は、図示省略するが、容器１０から上向きに突出するステムを中心に設けて、そのステムに噴出釦１４を取り付ける。
【００１６】
図２には、噴出釦１４の縦断面を示す。
噴出釦１４は、樹脂製で、頂面に指掛け部１５を有する円形キャップ部１６と、その中心線に沿って設ける中心筒部１７と、その上部から径方向に設ける横向き筒部１８とで構成する。
【００１７】
そして、中心筒部１７内には、下部にステム嵌合部２０を、上部に縦吐出路２１を形成する。一方、横向き筒部１８内には、釦周面に開口して円形の釦側嵌合部２２を設け、その開口近くの内周に円周溝を設けて釦側掛止部２３を形成し、また釦側嵌合部２３の底部から管状係合部２４を開口に向けて突出する。管状係合部２４には、縦吐出路２１と連通する横吐出路２５を形成し、先端に噴口２６を設ける。
【００１８】
さて、図示噴出器では、噴出釦１４に着脱自在に長尺噴射ノズル３０を設ける。長尺噴射ノズル３０は、図１に示すように、軸状のノズル本体３１とその先端に取り付ける噴射針３２とを有する。そして、不使用時は、ノズル本体３１の側面に設けるフック部３３を容器１０の缶縁３４に掛けて保管する。
【００１９】
図３には、ノズル本体３１の縦断面を示す。
この図３から判るとおり、ノズル本体３１の中心には、噴射路３５を有し、その噴射路３５の基端側入口に係合部３６、先端側出口に針取付穴３７を形成する。また、ノズル本体３１の基端側外周には、ノズル側嵌合部３８を設ける。また、互いに反対側の位置でともに軸方向に向けてＵ字状に切り欠き、基端側を支点として弾性を保有する一対の弾性片４０を設ける。各々の弾性片４０には、先端外面を膨らませて指当て部４１を形成し、途中の外面に凸状のノズル側掛止部４２を形成する。
【００２０】
図４には、長尺噴射ノズル３０のノズル本体３１の外観を示す。
この図４から判るとおり、ノズル本体３１の基端側外周であって一対の弾性片４０の間に、ノズル側嵌合部３８を避けて上記したフック部３３を形成する。
【００２１】
そして、この長尺噴射ノズル３０を使用するときは、両側の指当て部４１に指を当ててノズル本体３１を摘み、一対の弾性片４０を内側に撓ませてノズル側嵌合部３８を噴出釦１４の釦側嵌合部２２に挿入する。これにより、係合部３６に噴出釦１４の管状係合部２４を挿入してノズル本体３１の基端を釦側嵌合部２２の底面に突き当て、それからノズル本体３１から手を離すと、一対の弾性片４０が自身の弾性で復帰してノズル側掛止部４２が噴出釦１４の釦側掛止部２３に入り、弾性片４０の弾性をもって掛け止めて噴出釦１４に対して長尺噴射ノズル３０を抜け止めし、釦側嵌合部２２にノズル側嵌合部３８をはめ合わせて噴出釦１４に長尺噴射ノズル３０を取り付け、噴出釦１４の噴口２６を長尺噴射ノズル３０の噴射路３５と連通する。
【００２２】
図５には、長尺噴射ノズル３０を噴出釦１４に取り付けた状態を示す。
【００２３】
いま、このエアゾール式噴出器を、長尺噴射ノズル３０を用いることなく使用するときは、図１に示す状態、またはその状態から長尺噴射ノズル３０を取り外した状態で、噴出釦１４の噴口２６を目的部位に向け、操作部材である噴出釦１４を押し下げ操作する。すると、不図示のステムを介して出口弁を開き、容器内容物を噴射剤の圧力でステムから吐出する。そして、縦吐出路２１から横吐出路２５を通して噴口２６から外部に噴出し、目的部位に当てる。
【００２４】
長尺噴射ノズル３０を用いて使用するときは、図５に示すように噴出釦１４に長尺噴射ノズル３０を取り付けた状態で、噴射針３２の先を目的部位に向け、操作部材である噴出釦１４を押し下げ操作する。そして、噴口２６から噴出する容器内容物を、噴射路３５を通して噴射針３２の先から噴射し、目的部位に当てる。
【００２５】
使用後は、両側の指当て部４１に指を当ててノズル本体３１を摘み、一対の弾性片４０を内側に撓ませてノズル側掛止部４２を噴出釦１４の釦側掛止部２３から外し、ノズル側嵌合部３８を噴出釦１４の釦側嵌合部２２から引き抜く。その後、長尺噴射ノズル３０は、ノズル本体３１の側面に設けるフック部３３を容器１０の缶縁３４に掛け、長尺噴射ノズル３０が邪魔にならないように、また紛失しないように、図１に示す状態として保管する。
【００２６】
ところで、上述した例では、噴出装置１３を容器１０の口部に取り付け、この発明をエアゾール式噴出器に適用し、操作部材である噴出釦１４を操作することによりステムを介して出口弁を開き、容器内容物を噴射剤の圧力で外部に噴出する場合について説明した。しかし、同じように噴出装置を容器の口部に取り付け、操作部材を操作することによりステムを介してピストンを往復動して容器内容物を外部に噴出するポンプ式噴出器にも、また上述したような長尺噴射ノズルを取り付け、容器を押しつぶすことにより容器内容物を外部に噴出する押出し式噴出器にも、同様に適用することができる。
【００２７】
上述した例では、両側の指当て部４１に指を当ててノズル本体３１を摘み、一対の弾性片４０を内側に撓ませて噴出釦１４に対して長尺噴射ノズル３０を着脱するから、長年の使用によっても、釦側掛止部２３およびノズル側掛止部４２などを摩耗することなく、使用時に長尺噴射ノズル３０が抜け落ちたりするおそれを解消することができる。
【図面の簡単な説明】
【００２８】
【図１】この発明によるエアゾール式噴出器の外観斜視図である。
【図２】その噴出器で用いる噴出釦の縦断面図である。
【図３】その噴出器で用いる長尺噴射ノズルのノズル本体の縦断面図である。
【図４】その長尺噴射ノズルのノズル本体の外観図である。
【図５】同エアゾール式噴出器において、長尺噴射ノズルを噴出釦に取り付けた状態の部分斜視図である。
【符号の説明】
【００２９】
１０    容器
１３    噴出装置
１４    噴出釦
２１    縦吐出路（吐出路）
２２    釦側嵌合部
２３    釦側掛止部
２５    横吐出路（吐出路）
２６    噴口
３０    長尺噴射ノズル
３１    ノズル本体
３２    噴射針
３５    噴射路
３８    ノズル側嵌合部
４０    弾性片
４２    ノズル側掛止部
【図１】
2005125266.tif 000003
【図２】
2005125266.tif 000004
【図３】
2005125266.tif 000005
【図４】
2005125266.tif 000006
【図５】
2005125266.tif 000007